(57)【要約】【課題】開き操作時に誤って折畳み式携帯端末を落とすことなく簡単に開き操作が行えるようにすると共に、開き操作を行うボタンが外観に露出しないようにする。【解決手段】折畳み式携帯電話機１（折畳み式携帯端末）に、第１の筐体３と、第２の筐体５と、これら第１の筐体３と第２の筐体５とを折り畳み開閉自在に連結するヒンジ部６とを設ける。そして、第１の筐体３と第２の筐体５とを閉じた状態から、第１の筐体３を第２の筐体５に対してヒンジ部６の軸方向に沿ってスライド移動させることで、第１の筐体３が第２の筐体５に対して自動的に開くようにする。【選択図】図２
2010242887.tif 000002
【特許請求の範囲】
【請求項１】
第１の筐体と、第２の筐体と、該第１の筐体と第２の筐体とを折り畳み開閉自在に連結するヒンジ部とを備えた折畳み式携帯端末において、
上記第１の筐体と第２の筐体とを閉じた状態から、該第１の筐体を第２の筐体に対して上記ヒンジ部の軸方向に沿ってスライド移動させることで、該第１の筐体が第２の筐体に対して自動的に開くように構成されている
ことを特徴とする折畳み式携帯端末。
【請求項２】
請求項１に記載の折畳み式携帯端末において、
上記ヒンジ部は、
上記第１の筐体のヒンジ部側両角部から水平方向へそれぞれ膨出する一対の外側ボス部と、
上記第２の筐体のヒンジ部側端部に該ヒンジ部の軸方向中央表面から該第２の筐体の厚さ方向へ膨出した状態で上記一対の外側ボス部間に配置され、該第２の筐体に対して上記ヒンジ部の軸方向にスライド移動可能な内側ボス部と、
上記一対の外側ボス部の一方と、上記内側ボス部とに挿通された第１水平ヒンジ軸と、
上記一対の外側ボス部の他方と、上記内側ボス部とに挿通された第２水平ヒンジ軸と、
上記第１水平ヒンジ軸内に設けられ、上記第１の筐体と第２の筐体とを開く方向に付勢すると共に、付勢力を蓄えた状態でロック可能な開操作補助用付勢機構と、
上記第１水平ヒンジ軸に設けられ、上記開操作補助用付勢部材のロックを解除するためのロック解除用ボタンと、
上記第２の筐体に対して固定されると共に、先端が上記内側ボス部内に挿入され、上記第１の筐体が上記ヒンジ部の軸方向に沿ってスライドされたときに、上記先端が上記ロック解除用ボタンに当接して押圧する固定側ボタン押圧部と、
を備えている
ことを特徴とする折畳み式携帯端末。
【請求項３】
請求項２に記載の折畳み式携帯端末において、
上記第２の筐体のヒンジ部側端部には、上記外側ボス部及び上記内側ボス部が収容されるボス部収容凹部が凹陥され、
上記外側ボス部及び上記内側ボス部は、上記ボス部収容凹部上を上記第１水平ヒンジ軸に沿ってスライド移動するように構成されている
ことを特徴とする折畳み式携帯端末。
【請求項４】
請求項３に記載の折畳み式携帯端末において、
上記第２の筐体には、上記第１の筐体がスライド移動して上記開操作補助用付勢部材のロックを解除した後、上記第１の筐体を第２の筐体に対して元の位置に押し戻す押し戻し機構が設けられている
ことを特徴とする折畳み式携帯端末。
【請求項５】
請求項４に記載の折畳み式携帯端末において、
上記押し戻し機構は、上記第１水平ヒンジ軸に沿って配設され、一端が上記第２の筐体に当接し、他端が上記内側ボス部から延びる延長部に当接する圧縮コイルバネを含む
ことを特徴とする折畳み式携帯端末。
【請求項６】
請求項５に記載の折畳み式携帯端末において、
上記延長部は、上記第２の筐体の裏面側に凹陥した延長部収容凹部に該延長部収容凹部内壁との間に上記第１水平ヒンジ軸の軸方向に隙間を保った状態で収容されている
ことを特徴とする折畳み式携帯端末。
【請求項７】
請求項６に記載の折畳み式携帯端末において、
上記圧縮コイルバネは、上記延長部収容部に収容されている
ことを特徴とする折畳み式携帯端末。
【請求項８】
請求項１乃至７のいずれか１つに記載の折畳み式携帯端末において、
上記第１の筐体の表面には、表示部が設けられ、
上記第２の筐体の表面には、操作部が設けられている
ことを特徴とする折畳み式携帯端末。
【請求項９】
請求項１乃至８のいずれか１つに記載の折畳み式携帯端末において、
上記第２水平ヒンジ軸は、中空に形成され、該第２水平ヒンジ軸には、上記第１の筐体内の基板と上記第２の筐体内の基板とを電気的に接続する信号線が挿通されている
ことを特徴とする折畳み式携帯端末。
【発明の詳細な説明】
【技術分野】
【０００１】
本発明は、折畳み式携帯端末に関し、特にその自動開閉構造に関する。
【背景技術】
【０００２】
従来より、折畳み式携帯電話機に代表される折畳み式携帯端末では、片手で下筐体を持ち、他方の手で上筐体を持ち上げてヒンジ部を中心に開くようになっており、両手を使って開くのが一般的であった。
【０００３】
しかし、両手を使って開くのが面倒な場合があり、片手だけでワンタッチで開き操作を行いたいというニーズが増えていた。
【０００４】
そこで、例えば特許文献１の折畳み式携帯電話機は、第１筐体と、第２筐体と、第１筐体に固定され、第２筐体を第１筐体に回転自在に連結するためのヒンジ部とを備え、ヒンジ部は、操作部を備え、第２筐体は、操作部の操作に応じて、閉じられた状態を示す第１角度位置から予め決められた角度位置を示す第２角度位置まで開き、操作部の操作がないとき、第１角度位置、第２角度位置、第１角度位置と第２角度位置との間の第３角度位置のいずれか一方の角度位置に維持されるというフリーストップ機能とワンタッチオープン機能とを選択的に利用している。
【０００５】
また、特許文献２の折畳み式携帯電話機は、上筐体及び下筐体と、上筐体及び下筐体の境界線に沿って配置された回動軸を中心として上筐体及び下筐体を相対的に回動可能に連結する連結部と、上下の筐体を自動的に開くワンプッシュ自動開き機構と、ワンプッシュ自動開き機構を操作して上下の筐体を開く解除手段とを備え、解除手段の第１操作部及び第２操作部をそれぞれ連結部の両端部に設け、第１操作部及び第２操作部を連動可能とし、使用者の嗜好や使用する形態、状況等に対応して、各操作部を選択的に操作可能としている。
【先行技術文献】
【特許文献】
【０００６】
【特許文献１】特開２００２−３４４５９７号公報
【特許文献２】特開２００６−３２４９２７号公報
【発明の概要】
【発明が解決しようとする課題】
【０００７】
上記特許文献１及び２では、いずれも片手で本体を持ってワンタッチオープンするために親指又は人差し指をヒンジの側面から露出するボタンに当ててプッシュする。このとき、ボタンを小さな力で押せることから、携帯電話機を軽く保持したまま第１筐体が開かれることが多く、バネなどによる第１筐体を開く方向に付勢する力が強ければ、第１筐体が開ききったときに反動が生じ、携帯電話機を落下してしまうおそれがあった。
【０００８】
また、上記特許文献１及び２では、開き操作を行うボタンが外観に露出しているので見映えが悪い。さらに、ボタンが露出していることから、携帯電話機を閉じた状態で落下させてしまったときに、開き操作を行うボタンが誤って押されることがあり、意図せず携帯電話機が開いて表示部などに傷が付きやすいという問題もある。また、鞄の中で勝手に開き操作を行うボタンが押されて携帯電話機が開いてしまうこともある。
【０００９】
本発明は、かかる点に鑑みてなされたものであり、その目的とするところは、開き操作時に反動で折畳み式携帯端末を落とすことなく簡単に開き操作が行えると共に、開き操作を行うボタンが外観に露出しないようにすることにある。
【課題を解決するための手段】
【００１０】
上記の目的を達成するために、この発明では、第１の筐体自体をヒンジ部の軸心に沿って移動させるようにした。
【００１１】
具体的には、第１の発明では、第１の筐体と、第２の筐体と、該第１の筐体と第２の筐体とを折り畳み開閉自在に連結するヒンジ部とを備えた折畳み式携帯端末を前提とし、
上記折畳み式携帯端末は、
上記第１の筐体と第２の筐体とを閉じた状態から、該第１の筐体を第２の筐体に対して上記ヒンジ部の軸方向に沿ってスライド移動させることで、該第１の筐体が第２の筐体に対して自動的に開くように構成されている。
【００１２】
上記の構成によると、従来のようにヒンジ部の側面にロックを解除するための操作ボタンを設ける必要がないので、見映えがよい。また、開き操作時には、第１の筐体自体を押して第２の筐体に対してヒンジ部の軸方向に沿ってスライド移動させるために、第２の筐体をしっかりと掴んで第１の筐体を押すこととなり、第１の筐体が開いたときに反動があったとしても、折畳み式携帯端末を誤って落とすことはない。さらに、開き操作をするボタンが露出していないので、閉じた状態で誤って落下させた場合や、鞄の中で動いたときなどに意図せずボタンが押されて第１の筐体が開くことはない。
【００１３】
第２の発明では、第１の発明において、
上記ヒンジ部は、
上記第１の筐体のヒンジ部側両角部から水平方向へそれぞれ膨出する一対の外側ボス部と、
上記第２の筐体のヒンジ部側端部に該ヒンジ部の軸方向中央表面から該第２の筐体の厚さ方向へ膨出した状態で上記一対の外側ボス部間に配置され、該第２の筐体に対して上記ヒンジ部の軸方向にスライド移動可能な内側ボス部と、
上記一対の外側ボス部の一方と、上記内側ボス部とに挿通された第１水平ヒンジ軸と、
上記一対の外側ボス部の他方と、上記内側ボス部とに挿通された第２水平ヒンジ軸と、
上記第１水平ヒンジ軸内に設けられ、上記第１の筐体と第２の筐体とを開く方向に付勢すると共に、付勢力を蓄えた状態でロック可能な開操作補助用付勢機構と、
上記第１水平ヒンジ軸に設けられ、上記開操作補助用付勢部材のロックを解除するためのロック解除用ボタンと、
上記第２の筐体に対して固定されると共に、先端が上記内側ボス部内に挿入され、上記第１の筐体が上記ヒンジ部の軸方向に沿ってスライドされたときに、上記先端が上記ロック解除用ボタンに当接して押圧する固定側ボタン押圧部と、
を備えている。
【００１４】
上記の構成によると、ロック解除用ボタンと固定側ボタン押圧部とが内側ボス部内に収容されているので、従来のようにヒンジ部の側面に露出する場合に比べて極めて見映えがよく、意図せずロック解除用ボタンが押されにくい。また、第１の筐体をヒンジ部の軸心に沿ってスライドさせれば、固定側ボタン押圧部がロック解除用ボタンを押圧し、開操作補助用付勢機構のロックを解除して第１の筐体が第２の筐体に対して開くように付勢する。第１の筐体を押す際には、第２の筐体でしっかり反力を取るように第２の筐体を握っているので、開操作補助用付勢機構の付勢力が強くて第１の筐体が開ききったときに大きな反動が生じたとしても、折畳み式携帯端末を落とすことはない。
【００１５】
第３の発明では、第２の発明において、
上記第２の筐体のヒンジ部側端部には、上記外側ボス部及び上記内側ボス部が収容されるボス部収容凹部が凹陥され、
上記外側ボス部及び上記内側ボス部は、上記ボス部収容凹部上を上記第１水平ヒンジ軸に沿ってスライド移動するように構成されている。
【００１６】
上記の構成によると、外側ボス部及び内側ボス部が第２の筐体のボス部収容凹部上をスライド移動するので、スライド移動後に第１の筐体が第２の筐体に対して開くのを阻害しないように、第１の筐体を押す指以外の指は、第２の筐体をしっかりと握らざるを得ず、第１の筐体が開ききったときの反動が大きくても、その反動が原因で折畳み式携帯端末を落とすことはない。
【００１７】
第４の発明では、第３の発明において、
上記第２の筐体には、上記第１の筐体がスライド移動して上記開操作補助用付勢部材のロックを解除した後、上記第１の筐体を第２の筐体に対して元の位置に押し戻す押し戻し機構が設けられている。
【００１８】
上記の構成によると、第１の筐体が第２の筐体に対して開いた後、押し戻し機構が第１の筐体を元の位置に押し戻すので、手で第１の筐体を元の位置に戻す必要がなく、開き操作が簡単となる。また、押し戻し機構が常に第１の筐体を押圧しているので、その付勢力に抗する力で第１の筐体をスライド移動させる必要があることから、折畳み式携帯端末を落下させたときの衝撃を受けたときや鞄の中で動いたときなどに第１の筐体がスライド移動して意図せず第１の筐体が開いてしまうことはない。
【００１９】
第５の発明では、第４の発明において、
上記押し戻し機構は、上記第１水平ヒンジ軸に沿って配設され、一端が上記第２の筐体に当接し、他端が上記内側ボス部から延びる延長部に当接する圧縮コイルバネを含む。
【００２０】
上記の構成によると、圧縮コイルバネの付勢力が延長部を介して確実に内側ボス部を介して第１の筐体に伝達される。また、圧縮コイルバネは、第１水平ヒンジ軸に沿って配設されているので、付勢力を調整するには長さを調整すればよく、折畳み式携帯端末の厚さが抑えられる。
【００２１】
第６の発明では、第５の発明において、
上記延長部は、上記第２の筐体の裏面側に凹陥した延長部収容凹部に該延長部収容凹部内壁との間に上記第１水平ヒンジ軸の軸方向に隙間を保った状態で収容されている。
【００２２】
上記の構成によると、延長部が圧縮コイルバネに押されることで、延長部収容凹部内壁との間に隙間が保たれ、簡単な構成で折畳み式携帯端末の厚さを増やすことなく、内側ボス部が第２の筐体に対して付勢された状態でスライド移動可能に保持される。
【００２３】
第７の発明では、第６の発明において、
上記圧縮コイルバネは、上記延長部収容部に収容されている。
【００２４】
上記の構成によると、第１の筐体をスライドさせて第１の筐体が第２の筐体に対して開いた後に、延長部収容部内で圧縮されていた圧縮コイルバネが内側ボス部と第２の筐体とを引き離すように押圧するので、簡単且つコンパクトな構成で第１の筐体を元の位置に押し戻すことができる。
【００２５】
第８の発明では、第１乃至第７のいずれか１つの発明において、
上記第１の筐体の表面には、表示部が設けられ、
上記第２の筐体の表面には、操作部が設けられている。
【００２６】
上記の構成によると、待機時は傷が入りやすい表示部を内側にして第１の筐体を閉じておけば、誤って第１の筐体が開いて表示部に傷が付くことはなく、使用時には第１の筐体をスライド移動させるだけで開くので、使い勝手がよい。
【００２７】
第９の発明では、第１乃至第８のいずれか１つの発明において、
上記第２水平ヒンジ軸は、中空に形成され、該第２水平ヒンジ軸には、上記第１の筐体内の基板と上記第２の筐体内の基板とを電気的に接続する信号線が挿通されている。
【００２８】
上記の構成によると、ヒンジ部内に信号線を通しているので、第１の筐体が第２の筐体に対してスライド移動された後、信号線が、第１の筐体が開くのを阻害することはない。
【発明の効果】
【００２９】
以上説明したように、本発明によれば、第１の筐体を第２の筐体に対してヒンジ軸の軸方向にスライド移動させることで、第１の筐体と第２の筐体とを閉じた状態から第１の筐体が第２の筐体に対して自動的に開くようにしたことにより、反動で折畳み式携帯端末を落とすことなく簡単に開き操作が行えると共に、開き操作を行うボタンが外観に露出しないので、折畳み式携帯端末の見映えをよくすることができ、また意図せず第１の筐体が開くのを防止することができる。
【図面の簡単な説明】
【００３０】
【図１】本発明の実施形態にかかる折畳み式携帯電話機の閉じた状態を第１の筐体側から見た斜視図である。
【図２】第１の筐体を第２の筐体に対してスライド移動させた状態を第１の筐体側から見た斜視図である。
【図３】折畳み式携帯電話機が開いた状態を示す斜視図である。
【図４】本発明の実施形態にかかる折畳み式携帯電話機の閉じた状態を第２の筐体側から見た斜視図である。
【図５】第１の筐体を第２の筐体に対してスライド移動させた状態を第２の筐体側から見た斜視図である。
【図６】本発明の実施形態にかかる折畳み式携帯電話機の閉じた状態におけるヒンジユニットを第１の筐体側から見た斜視図である。
【図７】折畳み式携帯電話機を第１の筐体側から見た分解斜視図である。
【図８】本発明の実施形態にかかる折畳み式携帯電話機の閉じた状態におけるヒンジユニットを第２の筐体側から見た斜視図である。
【図９】折畳み式携帯電話機を第２の筐体側から見た分解解斜視図である。
【図１０】ヒンジユニットを拡大して示す斜視図である。
【図１１】ヒンジユニットを別の方向から拡大して示す斜視図である。
【発明を実施するための形態】
【００３１】
以下、本発明の実施形態を図面に基づいて説明する。
【００３２】
図１〜図５に本発明の実施形態にかかる折畳み式携帯端末としての折畳み式携帯電話機１を示し、この折畳み式携帯電話機１は、表面に表示部２を備えた第１の筐体３と、表面に操作部４を備えた第２の筐体５とを備えている。なお、操作部４の詳細は図示していないが、複数の操作ボタンを有するものでもタッチパネルでもよい。これら第１の筐体３と第２の筐体５とは、ヒンジ部６で折り畳み開閉自在に連結されている。第１の筐体３と第２の筐体５とは、共に略矩形板形状を有し、第１の筐体３が第２の筐体５に対して閉じられた状態で略直方体となって携帯が容易となっている。なお、本実施形態では、説明の都合上、第１の筐体３を第２の筐体５に対して開いて第２の筐体５を手に持ったときを考慮して第１の筐体３を上側、第２の筐体５を下側としている。
【００３３】
そして、本実施形態の折畳み式携帯電話機１は、第１の筐体３と第２の筐体５とを閉じた状態から、第１の筐体３を第２の筐体５に対して上記ヒンジ部６の軸方向に沿ってスライド移動させることで、第１の筐体３が第２の筐体５に対して自動的に開くように構成されている。
【００３４】
図７及び図９に示すように、ヒンジ部６は、第１の筐体３のヒンジ部６側両角部（下側の左右角部）から水平方向へそれぞれ膨出する一対の外側ボス部１０を備えている。外側ボス部１０は、例えば、第１の筐体３を構成する樹脂成形品を成形する際に同時に成形される。
【００３５】
また、ヒンジ部６は、その軸方向にスライド移動可能な内側ボス部１１を備えている。内側ボス部１１は、第２の筐体５のヒンジ部６側端部（上側端部）に該ヒンジ部６の軸方向（左右方向）中央表面から第２の筐体５の厚さ方向へ膨出するように形成されている。この内側ボス部１１は、一対の外側ボス部１０間に配置されている。
【００３６】
図６及び図８では、見やすくするために第１の筐体３、第２の筐体５及びヒンジ部６の内部を見えるようにしている。図６〜図１１に示すように、これら一対の外側ボス部１０、内側ボス部１１内には、左右に延び、互いに軸心が一致した第１水平ヒンジ軸１３及び第２水平ヒンジ軸１４が収容されている。内側ボス部１１は、第２の筐体５の厚さ方向に分割された表面側カバー１１ａと裏面側カバー１１ｂとを備え、両カバー１１ａ，１１ｂ間に第１水平ヒンジ軸１３及び第２水平ヒンジ軸（図示せず）が収容されている。
【００３７】
具体的には、第１水平ヒンジ軸１３は、左側の外側ボス部１０と内側ボス部１１の左側に形成したボス部１１ｃに挿通されている。第１水平ヒンジ軸１３内には、第１の筐体３と第２の筐体５とを開く方向に付勢すると共に、付勢力を蓄えた状態でロック可能な公知の開操作補助用付勢機構（詳細図示せず）が設けられている。この開操作補助用付勢機構は、内部に弾性部材を備え、この弾性部材は、第１水平ヒンジ軸１３の外筒１３ａと内軸１３ｂとが相対的に所定の方向に回転されたとき、すなわち、第１の筐体３が第２の筐体５に対して閉じられたときに力を蓄えるようになっている。そして、第１水平ヒンジ軸１３の右側端部からは、開操作補助用付勢部材のロックを解除するためのロック解除用ボタン１５が突出している。ロック解除用ボタン１５を押圧すると、弾性部材が蓄えていた付勢力が開放され、外筒１３ａと内軸１３ｂとが互いに相対的に回転し、第１の筐体３が第２の筐体５に対して自動的に開くようになっている。外筒１３ａは、ボス部１１ｃのキー溝１１ｄ（図１１参照）に嵌合することで、裏面側カバー１１ｂに対して固定されている。一方、内軸１３ｂのキー１３ｃを図示しない左側の外側ボス部１０のキー溝に嵌合させることで、内軸１３ｂと外側ボス部１０とが互いに回転不能に連結されている。
【００３８】
一方、図９に示すように、第２水平ヒンジ軸１４は、本実施形態では右側の外側ボス部１０と一体に（回転一体に）形成され、第２水平ヒンジ軸１４の外周に凹溝１４ａを凹陥し、内側ボス部１１の右側に形成した突部１１ｅを嵌合させることで、内側ボス部１１に対して回転可能となっている。
【００３９】
一方、図７に示すように、第２の筐体５のヒンジ部６側端部（上端部）は、曲面状に切り欠かれたボス部収容凹部２０が形成されている。このボス部収容凹部２０に外側ボス部１０及び内側ボス部１１が収容（載置）されるようになっている。そして、外側ボス部１０及び内側ボス部１１は、ボス部収容凹部２０の表面上を第１水平ヒンジ軸１３に沿ってスライド移動するように構成されている。
【００４０】
さらにボス部収容凹部２０からは、固定側ボタン押圧部２１が第２の筐体５の厚さ方向に垂直に突出している。この固定側ボタン押圧部２１は、第２の筐体５に対して固定されていて、先端２１ａが内側ボス部１１の切欠き１１ｆ（図１１参照）内に挿入されるようになっている。切欠き１１ｆと先端２１ａとの間には、隙間が十分に取られている。このことで、第１の筐体３が第１水平ヒンジ軸１３の軸方向に沿ってスライドされたときに、先端２１ａがロック解除用ボタン１５に当接して押圧するようになっている。
【００４１】
さらに、第２の筐体５には、第１の筐体３がスライド移動して開操作補助用付勢部材のロックを解除した後、第１の筐体３を第２の筐体５に対して元の位置に押し戻す押し戻し機構３０が設けられている。具体的には、押し戻し機構３０は、内側ボス部１１から延びる延長部３１を備えている。延長部３１は、第２の筐体５の裏面側に凹陥した延長部収容凹部３２に収容されている。延長部３１の水平に延びる一対の先端部３１ａは、ボス部収容凹部２０に形成した一対の開口２２に挿通され、先端部３１ａに形成したビス挿通孔３１ｂを通ったビス５０が裏面側カバー１１ｂのネジ穴１１ｇ（図９参照）に締結されることで、裏面側カバー１１ｂに固定されている。延長部３１の基端側には、第１水平ヒンジ軸１３に沿うバネ支持用棒３３が差し込まれている。このバネ支持用棒３３の外周には、圧縮コイルバネ３４が嵌め込まれている。この圧縮コイルバネ３４の一端は、延長部３１が延長部収容凹部３２内に収容された状態で、延長部収容凹部３２の内壁３２ａに当接し、他端は、延長部３１の基端側に当接している。このことで、圧縮コイルバネ３４の付勢力が延長部３１を介して確実に内側ボス部１１に伝達される。また、圧縮コイルバネ３４は、第１水平ヒンジ軸１３に沿って配設されているので、付勢力を調整するには長さを調整すればよく、折畳み式携帯電話機１の厚さが抑えられている。そして、図４に示すように、延長部３１が圧縮コイルバネ３４に押されることで、延長部収容凹部３２の内壁３２ａとの間に隙間ｃ１が保たれ、簡単な構成で折畳み式携帯電話機１の厚さを増やすことなく、内側ボス部１１が第２の筐体５に対してスライド移動可能に保持されている。
【００４２】
−作動−
次に、本実施形態にかかる折畳み式携帯電話機１の作動について説明する。
【００４３】
まず、携帯時には、図１及び図４に示すように、第１の筐体３を第２の筐体５に対して閉じたコンパクトな状態とする。
【００４４】
そして、本実施形態の折畳み式携帯電話機１は、従来の携帯電話機のようにヒンジ部６の側面にロックを解除するための操作ボタンを設けておらず、さらに、押し戻し機構３０が常に第１の筐体３を押圧し、図４に示すように、延長部３１と延長部収容凹部３２の内壁３２ａとの間に隙間ｃ１が保たれているので、その付勢力に抗する力で第１の筐体３をスライド移動させない限り開かない。このため、折畳み式携帯電話機１を落下させたときの衝撃や鞄の中で動いたときなどに第１の筐体３がスライド移動して意図せず第１の筐体３が開いてしまうことはない。傷が入りやすい表示部２を内側にして第１の筐体３を閉じておけば、誤って第１の筐体３が開いて表示部に傷が付くことはない。
【００４５】
さらに、ロック解除用ボタン１５と固定側ボタン押圧部２１とが内側ボス部１１内に収容されているので、従来のようにヒンジ部６の側面にロック解除用のボタンが露出する場合に比べて極めて見映えがよい。
【００４６】
そして、図２及び図５に示すように、第１の筐体３をヒンジ部６の軸心に沿ってスライドさせれば、延長部３１が、圧縮コイルバネ３４を押圧しながら延長部収容凹部３２内でスライド移動し、固定側ボタン押圧部２１がロック解除用ボタン１５を押圧する。すると、開操作補助用付勢機構のロックが解除され、第１の筐体３が第２の筐体５に対して開くように付勢する。第１の筐体３を押す際には、外側ボス部１０及び内側ボス部１１が第２の筐体５のボス部収容凹部２０上をスライド移動するので、スライド移動後に第１の筐体３が第２の筐体５に対して開くのを阻害しないように、第１の筐体３を押す指以外の指は、第２の筐体５をしっかりと握る。このため、第１の筐体３が開ききったときの反動が大きくても、その反動が原因で折畳み式携帯電話機１を落とすことはない。
【００４７】
このように、使用時には第１の筐体３をスライド移動させるだけで開く上、誤って反動で落とすことはないので、極めて使い勝手がよい。
【００４８】
そして、第１の筐体３が第２の筐体５に対して開いている途中で、延長部３１収容部内で圧縮されていた圧縮コイルバネ３４が内側ボス部１１と第２の筐体５とを引き離すように押圧するので、第１の筐体３が元の位置に押し戻される。このため、手で第１の筐体３を元の位置に戻す必要がなく、開き操作が簡単である。
【００４９】
したがって、本実施形態にかかる折畳み式携帯電話機１によると、反動で折畳み式携帯電話機１を落とすことなく簡単に開き操作が行えると共に、開き操作を行うボタンが外観に露出しないので、折畳み式携帯電話機１の見映えをよくすることができ、また意図せず第１の筐体３が開くのを防止することができる。
【００５０】
（その他の実施形態）
本発明は、上記実施形態について、以下のような構成としてもよい。
【００５１】
すなわち、上記第２水平ヒンジ軸１４を中空に形成し、この第２水平ヒンジ軸１４内に第１の筐体３内の基板と第２の筐体５内の基板とを電気的に接続する信号線を挿通してもよい。この場合には、ヒンジ部６内に信号線を通しているので、第１の筐体３が第２の筐体５に対してスライド移動された後、開くのを信号線が阻害することはない。
【００５２】
また、上記実施形態では、折畳み式携帯端末は、折畳み式携帯電話機としたが、折畳み式のＰＨＳ、ＰＤＡ、ＰＣ、モバイルツール、電子辞書、電卓、ゲーム機等であってもよい。
【００５３】
さらに、本実施形態では、折畳み式携帯電話機１を開いたときに、第１の筐体３を右側へスライドさせてロック解除用ボタン１５を押圧するようにしているが、第１の筐体３を左側へスライドさせてロック解除用ボタン１５を押圧するように構成してもよい。その場合には、ヒンジ部６、押し戻し機構３０等を左右対称に設ければよい。
【００５４】
なお、以上の実施形態は、本質的に好ましい例示であって、本発明、その適用物や用途の範囲を制限することを意図するものではない。
【符号の説明】
【００５５】
１      折畳み式携帯電話機（折畳み式携帯端末）
２      表示部
３      第１の筐体
４      操作部
５      第２の筐体
６      ヒンジ部
１０      外側ボス部
１１      内側ボス部
１３      第１水平ヒンジ軸
１４      第２水平ヒンジ軸
１５      ロック解除用ボタン
２０      ボス部収容凹部
２１      固定側ボタン押圧部
２１ａ    先端
３０      押し戻し機構
３１      延長部
３２      延長部収容凹部
３２ａ    内壁
３４      圧縮コイルバネ
【図１】
2010242887.tif 000003
【図２】
2010242887.tif 000004
【図３】
2010242887.tif 000005
【図４】
2010242887.tif 000006
【図５】
2010242887.tif 000007
【図６】
2010242887.tif 000008
【図７】
2010242887.tif 000009
【図８】
2010242887.tif 000010
【図９】
2010242887.tif 000011
【図１０】
2010242887.tif 000012
【図１１】
2010242887.tif 000013